(57)【要約】本発明は、第１ユーザ機器と第２ユーザ機器との間の通信を提供する技術的解決策であって、第１ユーザ機器は、第１マルチタッチ通信プロトコルを使用し、第２ユーザ機器は、第２マルチタッチ通信プロトコルを使用し、方法は、第１ユーザ機器から第１マルチタッチ通信プロトコルに基づくマルチタッチ情報を受信するステップと、第１マルチタッチ通信プロトコルに基づくマルチタッチ情報を、第２マルチタッチ通信プロトコルに基づくマルチタッチ情報に変換するステップと、第２マルチタッチ通信プロトコルに基づくマルチタッチ情報を第２ユーザ機器に送信するステップとを含む、技術的解決策を提案する。本発明を用いると、異なるマルチタッチ通信プロトコルを使用する携帯電話機の間の通信の有効な解決策が提供される。マルチタッチ通信プロトコルの変換を、独立のネットワーク装置によって実施することができ、このネットワーク装置は、ユーザ機器、たとえば携帯電話機の設計を単純化する。
2013516867.tif 000002
【特許請求の範囲】
【請求項１】
第１ユーザ機器と第２ユーザ機器との間の通信を提供する方法であって、前記第１ユーザ機器は、第１マルチタッチ通信プロトコルを使用し、前記第２ユーザ機器は、第２マルチタッチ通信プロトコルを使用し、前記方法は、
Ａ．前記第１ユーザ機器から前記第１マルチタッチ通信プロトコルに基づくマルチタッチ情報を受信するステップと、
Ｂ．前記第１マルチタッチ通信プロトコルに基づく前記マルチタッチ情報を、前記第２マルチタッチ通信プロトコルに基づくマルチタッチ情報に変換するステップと、
Ｃ．前記第２マルチタッチ通信プロトコルに基づく前記マルチタッチ情報を前記第２ユーザ機器に送信するステップと
を含む、方法。
【請求項２】
−前記第２ユーザ機器によって使用されるマルチタッチ通信プロトコルの情報を入手するステップ
をさらに含む、請求項１に記載の方法。
【請求項３】
−前記第１ユーザ機器によって使用されるマルチタッチ通信プロトコルの情報を入手するステップ
をさらに含む、請求項２に記載の方法。
【請求項４】
前記マルチタッチ情報は、時間情報および位置情報を含む、請求項１に記載の方法。
【請求項５】
前記第１マルチタッチ通信プロトコルは、ＴＵＩＯプロトコルであり、前記第２マルチタッチ通信プロトコルは、プライベート・プロトコルである、請求項１に記載の方法。
【請求項６】
前記第１マルチタッチ通信プロトコルと前記第２マルチタッチ通信プロトコルとの両方は、プライベート・プロトコルである、請求項１に記載の方法。
【請求項７】
第１ユーザ機器と第２ユーザ機器との間の通信を提供する提供デバイスであって、前記第１ユーザ機器は、第１マルチタッチ通信プロトコルを使用し、前記第２ユーザ機器は、第２マルチタッチ通信プロトコルを使用し、前記提供デバイスは、
前記第１ユーザ機器から前記第１マルチタッチ通信プロトコルに基づくマルチタッチ情報を受信する受信機と、
前記第１マルチタッチ通信プロトコルに基づく前記マルチタッチ情報を、前記第２マルチタッチ通信プロトコルに基づくマルチタッチ情報に変換する変換器と、
前記第２マルチタッチ通信プロトコルに基づく前記マルチタッチ情報を前記第２ユーザ機器に送信する送信機と
を含む、提供デバイス。
【請求項８】
前記第２ユーザ機器によって使用されるマルチタッチ通信プロトコルの情報を入手するために入手するユニット
のステップをさらに含む、請求項７に記載の提供デバイス。
【請求項９】
入手する前記ユニットは、
−前記第１ユーザ機器によって使用されるマルチタッチ通信プロトコルの情報を入手すること
にさらに使用される、請求項８に記載の提供デバイス。
【請求項１０】
前記マルチタッチ情報は、時間情報および位置情報を含む、請求項７に記載の提供デバイス。
【請求項１１】
前記第１マルチタッチ通信プロトコルは、ＴＵＩＯプロトコルであり、前記第２マルチタッチ通信プロトコルは、プライベート・プロトコルである、請求項７に記載の提供デバイス。
【請求項１２】
前記第１マルチタッチ通信プロトコルと前記第２マルチタッチ通信プロトコルとの両方は、プライベート・プロトコルである、請求項７に記載の提供デバイス。
【発明の詳細な説明】
【技術分野】
【０００１】
本発明は、ユーザ機器に通信を提供する方法およびデバイスに関する。
【背景技術】
【０００２】
マルチタッチ技術は、伝統的な入力デバイス（たとえば、マウス、キーボードなど）を用いずにコンピュータ側でのヒューマン・コンピュータ・インタラクション（ｈｕｍａｎ−ｃｏｍｐｕｔｅｒ  ｉｎｔｅｒａｃｔｉｏｎ）を実行できる、ヒューマン・コンピュータ・インタラクションおよびハードウェア・デバイスによって合同で実施される技術である。マルチタッチ技術を用いると、タッチ・スクリーン（スクリーン、デスクトップ、壁など）またはタッチ・パネルは、スクリーンから同時に複数の点の入力情報を受け取ることができる。
【０００３】
現在、マルチタッチ技術は、主に携帯電話機でサポートされ、たとえば、Ａｐｐｌｅ  Ｉｎｃ．社、Ｓａｍｓｕｎｇグループ、およびＮｏｋｉａ  Ｃｏｒｐｏｒａｔｉｏｎ社は、彼らの携帯電話機のヒューマン・コンピュータ・インタラクション・インターフェースにマルチタッチ技術を実施した。
【先行技術文献】
【非特許文献】
【０００４】
【非特許文献１】Ｋａｌｔｅｎｂｒｕｎｎｅｒ，Ｍ．、Ｂｏｖｅｒｍａｎｎ，Ｔ．、Ｂｅｎｃｉｎａ，Ｒ．、Ｃｏｓｔａｎｚａ，Ｅ．、「ＴＵＩＯ  −  Ａ  Ｐｒｏｔｏｃｏｌ  ｆｏｒ  Ｔａｂｌｅ  Ｂａｓｅｄ  Ｔａｎｇｉｂｌｅ  Ｕｓｅｒ  Ｉｎｔｅｒｆａｃｅｓ」、Ｐｒｏｃｅｅｄｉｎｇｓ  ｏｆ  ｔｈｅ  ６ｔｈ  Ｉｎｔｅｒｎａｔｉｏｎａｌ  Ｗｏｒｋｓｈｏｐ  ｏｎ  Ｇｅｓｔｕｒｅ  ｉｎ  Ｈｕｍａｎ−Ｃｏｍｐｕｔｅｒ  Ｉｎｔｅｒａｃｔｉｏｎ  ａｎｄ  Ｓｉｍｕｌａｔｉｏｎ（ＧＷ  ２００５）、フランス国バンヌ、２００５年
【非特許文献２】ｈｔｔｐ：／／ｗｗｗ．ｔｕｉｏ．ｏｒｇ
【発明の概要】
【発明が解決しようとする課題】
【０００５】
ますます多くの携帯電話機がマルチタッチ機能を有するにつれて、異なる携帯電話機ベンダが、異なるマルチタッチ通信プロトコルを使用するので、異なるマルチタッチ通信プロトコルを使用する携帯電話機の間でどのようにして通信すべきかが、解決すべき差し迫った問題になる。
【課題を解決するための手段】
【０００６】
本発明の実施形態によれば、第１ユーザ機器と第２ユーザ機器との間の通信を提供する方法であって、第１ユーザ機器は、第１マルチタッチ通信プロトコルを使用し、第２ユーザ機器は、第２マルチタッチ通信プロトコルを使用し、方法は、第１ユーザ機器から第１マルチタッチ通信プロトコルに基づくマルチタッチ情報を受信するステップと、第１マルチタッチ通信プロトコルに基づくマルチタッチ情報を、第２マルチタッチ通信プロトコルに基づくマルチタッチ情報に変換するステップと、第２マルチタッチ通信プロトコルに基づくマルチタッチ情報を第２ユーザ機器に送信するステップとを含む、方法が提供される。
【０００７】
本発明の別の実施形態によれば、第１ユーザ機器と第２ユーザ機器との間の通信を提供する提供デバイスであって、前記第１ユーザ機器は、第１マルチタッチ通信プロトコルを使用し、前記第２ユーザ機器は、第２マルチタッチ通信プロトコルを使用し、前記提供デバイスは、前記第１ユーザ機器から前記第１マルチタッチ通信プロトコルに基づくマルチタッチ情報を受信する受信機と、前記第１マルチタッチ通信プロトコルに基づく前記マルチタッチ情報を、前記第２マルチタッチ通信プロトコルに基づくマルチタッチ情報に変換する変換器と、前記第２マルチタッチ通信プロトコルに基づく前記マルチタッチ情報を前記第２ユーザ機器に送信する送信機とを含む、提供デバイスが提供される。
【０００８】
本発明によって提供される方法およびデバイスを用いると、異なるマルチタッチ通信プロトコルを使用する携帯電話機の間の通信の有効な解決策が提供される。代替案では、マルチタッチ通信プロトコルの変換を、独立のネットワーク・デバイスによって実施することができ、このネットワーク・デバイスは、ユーザ機器、たとえば携帯電話機の設計を単純化する。
【０００９】
次の図面を参照して非制限的な実施形態の詳細な説明を読むことによって、本発明の他の特徴、目的、および利益が明白になる。
【図面の簡単な説明】
【００１０】
【図１】本発明の詳細な実施形態による応用シナリオを示す図である。
【図２】本発明の詳細な実施形態による第１ユーザ機器と第２ユーザ機器との間の通信を提供する方法を示す流れ図である。
【図３】本発明の詳細な実施形態による第１ユーザ機器と第２ユーザ機器との間の通信を提供する提供デバイスを示すブロック図である。
【発明を実施するための形態】
【００１１】
同一のまたは同様の符号は、同一のまたは同様のステップまたは手段／デバイス（モジュール）を指す。
【００１２】
本発明の詳細な実施形態を、次の図面を参照して詳細に説明する。
【００１３】
図１に、本発明の詳細な実施形態による応用シナリオを示す。この図では、第１ユーザ機器１１は、第１マルチタッチ通信プロトコルを使用し、第２ユーザ機器１２は、第２マルチタッチ通信プロトコルを使用し、ネットワーク装置２０は、第１ユーザ機器１１および第２ユーザ機器１２のマルチタッチ情報のプロトコル変換を実行し、その結果、第１ユーザ機器１１および第２ユーザ機器１２は、有効な通信のために、その相手方のマルチタッチ情報を理解できるようになる。
【００１４】
図２に、本発明の詳細な実施形態による第１ユーザ機器と第２ユーザ機器との間の通信を提供する方法の流れ図を示す。図１のネットワーク装置２０が第１ユーザ機器１１と第２ユーザ機器１２との間の通信を提供する方法を、図１と組み合わせて説明する。ここで、第１ユーザ機器１１および第２ユーザ機器１２を、マルチタッチ・スクリーンを有する、携帯電話機、ＰＤＡ、固定電話機などのユーザ端末機器とすることができる。
【００１５】
まず、ステップＳ２０１では、ネットワーク装置２０が、第１ユーザ機器１１から第１マルチタッチ通信プロトコルに基づくマルチタッチ情報を受信する。ネットワーク装置２０は、ケーブルまたは無線ネットワークを介して第１ユーザ機器１１のマルチタッチ情報を受信することができる。代替案では、マルチタッチ情報は、そのマルチタッチ情報が第２ユーザ機器１２に送信されることの情報を含むことができる。代替案では、もう１つの実施形態で、第１ユーザ機器１１と第２ユーザ機器１２との間の通信が、前もってセット・アップされ、ネットワーク装置２０は、第１ユーザ機器１１からの第１マルチタッチ通信プロトコルに基づくマルチタッチ情報が第２ユーザ機器１２宛であることと、第２ユーザ機器１２からの第２マルチタッチ通信プロトコルに基づくマルチタッチ情報が、第１ユーザ機器１１宛であることとを認める。
【００１６】
マルチタッチ情報が、さまざまな情報を含むことができ、一実施形態では、マルチタッチ情報が、時間情報および位置情報を含むことに留意されたい。ＴＵＩＯ（Ｔａｎｇｉｂｌｅ  Ｕｓｅｒ  Ｉｎｔｅｒｆａｃｅ  Ｏｂｊｅｃｔｓ）プロトコルについて、マルチタッチ情報は、ｓｅｓｓｉｏｎＩＤ、ｃｌａｓｓＩＤ、位置、角度、動きベクトル、回転ベクトル、動き角度、回転角度などを含むことができる。ＴＵＩＯに関する詳細な情報については、Ｋａｌｔｅｎｂｒｕｎｎｅｒ，Ｍ．、Ｂｏｖｅｒｍａｎｎ，Ｔ．、Ｂｅｎｃｉｎａ，Ｒ．、Ｃｏｓｔａｎｚａ，Ｅ．、「ＴＵＩＯ  −  Ａ  Ｐｒｏｔｏｃｏｌ  ｆｏｒ  Ｔａｂｌｅ  Ｂａｓｅｄ  Ｔａｎｇｉｂｌｅ  Ｕｓｅｒ  Ｉｎｔｅｒｆａｃｅｓ」、Ｐｒｏｃｅｅｄｉｎｇｓ  ｏｆ  ｔｈｅ  ６ｔｈ  Ｉｎｔｅｒｎａｔｉｏｎａｌ  Ｗｏｒｋｓｈｏｐ  ｏｎ  Ｇｅｓｔｕｒｅ  ｉｎ  Ｈｕｍａｎ−Ｃｏｍｐｕｔｅｒ  Ｉｎｔｅｒａｃｔｉｏｎ  ａｎｄ  Ｓｉｍｕｌａｔｉｏｎ（ＧＷ  ２００５）、フランス国バンヌ、２００５年またはｈｔｔｐ：／／ｗｗｗ．ｔｕｉｏ．ｏｒｇを参照されたい。他のプライベート・マルチタッチ通信プロトコルについて、マルチタッチ情報を、ユーザ機器プロバイダが定義することができる。
【００１７】
次に、ステップＳ２０２では、ネットワーク装置２０が、第１ユーザ機器１１からの第１マルチタッチ通信プロトコルに基づくマルチタッチ情報を、第２マルチタッチ通信プロトコルに基づくマルチタッチ情報に変換する。
【００１８】
最後に、ステップＳ２０３では、ネットワーク装置２０が、第２マルチタッチ通信プロトコルに基づくマルチタッチ情報を第２ユーザ機器１２に送信する。ネットワーク装置２０は、ケーブルまたは無線ネットワークを介してマルチタッチ情報を送信することができる。
【００１９】
オプションで、ステップＳ２０２の前に、ネットワーク装置２０は、さらに、それぞれ第１ユーザ機器１１および第２ユーザ機器１２によって使用されるマルチタッチ通信プロトコルの情報を入手し、その情報に基づいてステップＳ２０２のプロトコル変換を実行する。一実施形態では、マルチタッチ通信プロトコルの情報は、ユーザ機器によって使用されるマルチタッチ通信プロトコルのタイプに言及することができる。ネットワーク装置２０は、すべての種類のマルチタッチ通信プロトコルを認め、それらの間の相互変換を実施することができる。
【００２０】
ネットワーク装置２０がそれぞれ第１ユーザ機器１１および第２ユーザ機器１２によって使用されるマルチタッチ通信プロトコルの情報を入手する方法が、さまざまであることに留意されたい。
【００２１】
一実施形態では、ステップＳ２０１の前に、第１ユーザ機器１１と第２ユーザ機器１２との両方が、ネットワーク装置２０にメッセージを送信し、このメッセージは、それぞれ第１ユーザ機器１１および第２ユーザ機器１２によって使用されるマルチタッチ通信プロトコルの情報を含む。たとえば、第１ユーザ機器１１と第２ユーザ機器１２との両方が、マルチタッチ・スクリーンを有する携帯電話機であり、ユーザは、これらを使用してネットワーク・ゲームをプレイする。ネットワーク装置２０は、ネットワーク・ゲーム・サーバであり、第１ユーザ機器１１および第２ユーザ機器１２がそれぞれネットワーク装置２０に送信するログイン・メッセージは、それぞれ、第１ユーザ機器１１および第２ユーザ機器１２によって使用されるマルチタッチ通信プロトコルの情報を含む。
【００２２】
もう１つの実施形態では、ネットワーク装置２０が、第１ユーザ機器１１から第１マルチタッチ通信プロトコルに基づくマルチタッチ情報を受信した後に、ネットワーク装置２０は、２つの照会メッセージをそれぞれ第１ユーザ機器１１および第２ユーザ機器１２に送信し、この２つの照会メッセージは、第１ユーザ機器１１および第２ユーザ機器１２によって使用されるマルチタッチ通信プロトコルの情報を照会するのに使用され、この情報に基づいて、その後、ステップＳ２０２のプロトコル変換が実行される。
【００２３】
もう１つの実施形態では、第１ユーザ機器１１からの第１マルチタッチ通信プロトコルに基づくマルチタッチ情報は、第１ユーザ機器１１によって使用されるマルチタッチ通信プロトコルの情報を含み、ネットワーク装置２０は、第１ユーザ機器１１から第１マルチタッチ通信プロトコルに基づくマルチタッチ情報を受信した後に、第２ユーザ機器１２によって使用されるマルチタッチ通信プロトコルの情報を照会するために第２ユーザ機器１２に照会メッセージを送信し、この情報に基づいて、その後、ステップＳ２０２のプロトコル変換が実行される。
【００２４】
ネットワーク装置２０がそれぞれ第１ユーザ機器１１および第２ユーザ機器１２によって使用されるマルチタッチ通信プロトコルの情報を入手する方法を、上で説明した。もう１つの実施形態では、ネットワーク装置２０は、それぞれ第１ユーザ機器１１および第２ユーザ機器１２によって使用されるマルチタッチ通信プロトコルの情報を入手する必要はなく、その情報を、第１ユーザ機器１１から受信される第１マルチタッチ通信プロトコルに基づくマルチタッチ情報に含めることができる。
【００２５】
現在、マルチタッチ通信プロトコルは、オープンなＴＵＩＯプロトコル、各社のプライベート・プロトコルなどを含むさまざまな種類を有する。ＴＵＩＯプロトコルと特定のプライベート・マルチタッチ情報プロトコルとの間の相互変換が、プロトコル変換プロセスを説明するための例として使用される。
【００２６】
一般性を失わずに、第１ユーザ機器１１が、ＴＵＩＯマルチタッチ通信プロトコルを使用し、マルチタッチ情報フォーマットとしてｓ  ｉ  ｘ  ｙを使用すると仮定する。ここで、ｓは、セッションＩＤを表し、ｉは、クラスＩＤを表し、ｘは、幅位置情報を表し、ｙは、高さ位置情報を表す。第２ユーザ機器１２は、プライベート・マルチタッチ通信プロトコルを使用し、第２ユーザ機器１２によって使用されるマルチタッチ情報フォーマットは、ｓｅｓｓｉｏｎ：ｖａｌｕｅ  Ｓｅｑ：ｖａｌｕｅ  ｗｉｄ：ｖａｌｕｅ  ｈｅｉ：ｖａｌｕｅであり、ｓｅｓｓｉｏｎは、特定のアプリケーション・プログラムに関係付けられるＩＤであるｓｅｓｓｉｏｎＩＤを表し、異なるアプリケーション・プログラムは、異なるｓｅｓｓｉｏｎＩＤを有し、Ｓｅｑは、シーケンス情報を表し、マルチタッチ位置などのマルチタッチ・パラメータのサンプリング順序を示し、ｗｉｄは、幅位置を表し、ｈｅｉは、高さ位置を表す。
【００２７】
ネットワーク装置２０は、ユーザ機器１１からＴＵＩＯマルチタッチ通信プロトコルに基づくマルチタッチ情報１  ２  ３４５  １２３を受信すると、ＴＵＩＯマルチタッチ通信プロトコルに基づくマルチタッチ情報１  ２  ３４５  １２３を、第２ユーザ機器１２に基づくプライベート・プロトコルのフォーマットｓｅｓｓｉｏｎ：１  Ｓｅｑ：２  ｗｉｄ：２３４  ｈｅｉ：１２３に変換し、変換されたフォーマットを第２ユーザ機器１２に送信し、逆も同様である。
【００２８】
ネットワーク装置２０が第１ユーザ機器１１と第２ユーザ機器１２との間の通信を提供する手順すなわちマルチタッチ通信プロトコルの間の変換手順は、図１に示された応用シナリオを例にして詳細に説明される。いくつかの応用シナリオでは、ネットワーク装置２０内でマルチタッチ通信プロトコルを変換する機能を、第１ユーザ機器１１または第２ユーザ機器１２によって実施できることに留意されたい。
【００２９】
図３に、本発明の詳細な実施形態による第１ユーザ機器と第２ユーザ機器との間の通信を提供する提供デバイス３００のブロック図を示す。提供デバイス３００は、受信機３０１、変換器３０２、および送信機３０３を含む。
【００３０】
図１のネットワーク装置２０内の提供デバイス３００が第１ユーザ機器１１と第２ユーザ機器１２との間での通信を提供する動作手順を、図１と組み合わせて詳細に説明する。
【００３１】
まず、受信機３０１は、第１ユーザ機器１１から第１マルチタッチ通信プロトコルに基づくマルチタッチ情報を受信する。代替案では、マルチタッチ情報は、そのマルチタッチ情報が第２ユーザ機器１２に送信されることの情報を含むことができる。代替案では、もう１つの実施形態で、第１ユーザ機器１１と第２ユーザ機器１２との間の通信が前もってセット・アップされ、ネットワーク装置２０は、第１ユーザ機器１１からの第１マルチタッチ通信プロトコルに基づくマルチタッチ情報が第２ユーザ機器１２宛であることと、第２ユーザ機器１２からの第２マルチタッチ通信プロトコルに基づくマルチタッチ情報が、第１ユーザ機器１１宛であることとを認める。
【００３２】
マルチタッチ情報が、さまざまな情報を含むことができ、一実施形態では、マルチタッチ情報が、時間情報および位置情報を含むことに留意されたい。ＴＵＩＯ（Ｔａｎｇｉｂｌｅ  Ｕｓｅｒ  Ｉｎｔｅｒｆａｃｅ  Ｏｂｊｅｃｔｓ）プロトコルについて、マルチタッチ情報は、ｓｅｓｓｉｏｎＩＤ、ｃｌａｓｓＩＤ、位置、角度、動きベクトル、回転ベクトル、動き角度、回転角度などを含むことができる。ＴＵＩＯに関する詳細な情報については、Ｋａｌｔｅｎｂｒｕｎｎｅｒ，Ｍ．、Ｂｏｖｅｒｍａｎｎ，Ｔ．、Ｂｅｎｃｉｎａ，Ｒ．、Ｃｏｓｔａｎｚａ，Ｅ．、「ＴＵＩＯ  −  Ａ  Ｐｒｏｔｏｃｏｌ  ｆｏｒ  Ｔａｂｌｅ  Ｂａｓｅｄ  Ｔａｎｇｉｂｌｅ  Ｕｓｅｒ  Ｉｎｔｅｒｆａｃｅｓ」、Ｐｒｏｃｅｅｄｉｎｇｓ  ｏｆ  ｔｈｅ  ６ｔｈ  Ｉｎｔｅｒｎａｔｉｏｎａｌ  Ｗｏｒｋｓｈｏｐ  ｏｎ  Ｇｅｓｔｕｒｅ  ｉｎ  Ｈｕｍａｎ−Ｃｏｍｐｕｔｅｒ  Ｉｎｔｅｒａｃｔｉｏｎ  ａｎｄ  Ｓｉｍｕｌａｔｉｏｎ（ＧＷ  ２００５）、フランス国バンヌ、２００５年またはｈｔｔｐ：／／ｗｗｗ．ｔｕｉｏ．ｏｒｇを参照されたい。他のプライベート・マルチタッチ通信プロトコルについて、マルチタッチ情報を、ユーザ機器プロバイダが定義することができる。
【００３３】
次に、変換器３０２は、第１ユーザ機器１１からの第１マルチタッチ通信プロトコルに基づくマルチタッチ情報を、第２マルチタッチ通信プロトコルに基づくマルチタッチ情報に変換する。
【００３４】
最後に、送信機３０３は、第２マルチタッチ通信プロトコルに基づくマルチタッチ情報を第２ユーザ機器１２に送信する。
【００３５】
オプションで、変換器３０２がプロトコル変換を実行する前に、提供デバイス３００は、さらに、それぞれ第１ユーザ機器１１および第２ユーザ機器１２によって使用されるマルチタッチ通信プロトコルの情報を入手するユニット（図３には図示せず）を含み、変換器３０２は、その情報に基づいてプロトコル変換を実行する。一実施形態では、マルチタッチ通信プロトコルの情報は、ユーザ機器によって使用されるマルチタッチ通信プロトコルのタイプに言及することができる。変換器３０２は、すべての種類のマルチタッチ通信プロトコルを認め、それらの間の相互変換を実施することができる。
【００３６】
それぞれ第１ユーザ機器１１および第２ユーザ機器１２によって使用されるマルチタッチ通信プロトコルの情報を入手するユニットの方法が、さまざまであり、これが、上で述べられ、詳細が省略されることに留意されたい。
【００３７】
ネットワーク装置２０内の提供デバイス３００が第１ユーザ機器１１と第２ユーザ機器１２との間の通信を提供する手順は、図１に示された応用シナリオを例として詳細に説明される。いくつかの応用シナリオで、提供デバイス３００を、第１ユーザ機器１１内または第２ユーザ機器１２内に配置することができることに留意されたい。
【００３８】
上で述べた実施形態が、本発明を限定するのではなく例示することに留意されたい。本発明が、本発明の範囲および趣旨に含まれる、図示され説明された実施形態に対するすべての修正形態および変形形態を含むことが意図されている。特許請求の範囲では、括弧の間に配置されたどの符号も請求項を限定するものとして解釈されてはならない。単語「ｃｏｍｐｒｉｓｉｎｇ（含む）」は、請求項または明細書でリストされていない要素またはステップの存在を除外しない。ある要素の前の単語「ａ」または「ａｎ」は、複数のそのような要素の存在を除外しない。複数のユニットを列挙する装置クレームでは、複数のこれらのユニットをハードウェアまたはソフトウェアの１つの同一のアイテムによって実施することができる。単語第１、第２、および第３などの使用は、順序付けを示さない。これらの単語は、名前として解釈されなければならない。
【図１】
2013516867.tif 000003
【図２】
2013516867.tif 000004
【図３】
2013516867.tif 000005
【国際調査報告】
2013516867.tif 000006
2013516867.tif 000007